(57)【要約】【課題】尿素水補給作業時におけるキャップの紛失や、キャップに対する汚れに付着を防止する。【解決手段】エンジン排気の浄化に用いる尿素水が貯留される尿素水タンク５を備えるクローラトラクタＴであって、尿素水タンク５は、尿素水を補給するための補給口５ａと、補給口５ａを開閉可能に覆う着脱式のキャップ１１と、を備え、尿素水タンク５の周辺に配置されるタンクカバー９には、取り外し状態のキャップ１１を保持可能な凹部９ｂが設けられる。【選択図】図８
2018103728.tif 000002
【特許請求の範囲】
【請求項１】
エンジン排気の浄化に用いる尿素水が貯留される尿素水タンクを備える作業用走行車であって、
前記尿素水タンクは、
尿素水を補給するための補給口と、
前記補給口を開閉可能に覆う着脱式のキャップと、を備え、
前記尿素水タンクの周辺に配置されるカバー部材には、取り外し状態の前記キャップを保持可能な凹部が設けられることを特徴とする作業用走行車。
【請求項２】
前記キャップは、上面側に取っ手部が突設され、
前記凹部は、前記取っ手部を収納可能な形状を有することを特徴とする請求項１に記載の作業用走行車。
【請求項３】
前記キャップは、前記尿素水タンク、前記カバー部材、前記タンクカバーのいずれか一つにワイヤを介して繋がれ、
前記凹部の内部には、前記ワイヤが入り込む切欠き部が形成されていることを特徴とする請求項１又は２に記載の作業用走行車。
【請求項４】
前記尿素水タンクを覆うタンクカバーを備え、
前記補給口は、前記タンクカバーに形成される開口部を介して外部に露出し、
前記凹部は、前記タンクカバーにおける前記開口部の周辺に設けられることを特徴とする請求項１〜３のいずれか１項に記載の作業用走行車。
【発明の詳細な説明】
【技術分野】
【０００１】
本発明は、尿素水タンクを備えるトラクタなどの作業用走行車に関する。
【背景技術】
【０００２】
エンジンから排出される排気ガスの浄化を目的とし、排気ガス中の窒素酸化物を尿素水を用いて浄化する窒素酸化物浄化装置（ＳＣＲ：Ｓｅｌｅｃｔｉｖｅ  Ｃａｔａｌｙｔｉｃ  Ｒｅｄｕｃｔｉｏｎ）を備える作業用走行車が知られている（例えば、特許文献１参照）。この種の作業用走行車には、尿素水を貯留する尿素水タンクが設けられ、該尿素水タンクから窒素酸化物浄化装置に尿素水が供給される。特許文献１に示される尿素水タンクは、尿素水を補給するための補給口と、該補給口を開閉可能に覆う着脱式のキャップと、を備えており、キャップを取り外すことにより、尿素水タンクに対する尿素水の補給が可能になる。
【先行技術文献】
【特許文献】
【０００３】
【特許文献１】特開２０１５−２２３９４５号公報
【発明の概要】
【発明が解決しようとする課題】
【０００４】
しかしながら、特許文献１の作業用走行車では、尿素水タンクに対する尿素水の補給作業に際し、取り外されたキャップの置き場所を考慮していないので、キャップを紛失したり、キャップに汚れが付着するなどの虞があった。また、キャップの紛失を防止するために、ワイヤを介してキャップを尿素水タンクなどに繋いでおくことが考えられるが、取り外し状態のキャップをワイヤを介してぶら下げた状態にしておくと、カバー部材にぶつかってカバー部材に傷がつく虞があった。
【課題を解決するための手段】
【０００５】
本発明は、上記の如き実情に鑑みこれらの課題を解決することを目的として創作されたものであって、請求項１の発明は、エンジン排気の浄化に用いる尿素水が貯留される尿素水タンクを備える作業用走行車であって、前記尿素水タンクは、尿素水を補給するための補給口と、前記補給口を開閉可能に覆う着脱式のキャップと、を備え、前記尿素水タンクの周辺に配置されるカバー部材には、取り外し状態の前記キャップを保持可能な凹部が設けられることを特徴とする。
請求項２の発明は、請求項１に記載の作業用走行車であって、前記キャップは、上面側に取っ手部が突設され、前記凹部は、前記取っ手部を収納可能な形状を有することを特徴とする。
請求項３の発明は、請求項１又は２に記載の作業用走行車であって、前記キャップは、前記尿素水タンク、前記カバー部材、前記タンクカバーのいずれか一つにワイヤを介して繋がれ、前記凹部の内部には、前記ワイヤが入り込む切欠き部が形成されていることを特徴とする。
請求項３の発明は、請求項１〜３のいずれか１項に記載の作業用走行車であって、前記尿素水タンクを覆うタンクカバーを備え、前記補給口は、前記タンクカバーに形成される開口部を介して外部に露出し、前記凹部は、前記タンクカバーにおける前記開口部の周辺に設けられることを特徴とする。
【発明の効果】
【０００６】
請求項１の発明によれば、尿素水タンクの周辺に配置されるカバー部材には、取り外し状態のキャップを保持可能な凹部が設けられるので、尿素水補給作業時におけるキャップの紛失や、キャップに対する汚れに付着を防止できる。
また、請求項２の発明によれば、キャップは、上面側に取っ手部が突設され、凹部は、取っ手部を収納可能な形状を有するので、凹部に対するキャップの上下反転状態での収納を促すことができる。したがって、たとえ凹部の内部が汚れていても、キャップの下面に対する汚れの付着を防止でき、その結果、キャップを介して尿素水タンク内の尿素水が汚染されることを回避できる。
また、請求項３の発明によれば、キャップは、尿素水タンク、カバー部材、タンクカバーのいずれか一つにワイヤを介して繋がれ、凹部の内部には、ワイヤが入り込む切欠き部が形成されているので、ワイヤの反発力でキャップが凹部から脱落することを防止できる。
また、請求項４の発明によれば、尿素水タンクを覆うタンクカバーを備え、尿素水タンクの補給口は、タンクカバーに形成される開口部を介して外部に露出し、凹部は、タンクカバーにおける開口部の周辺に設けられるので、取り外したキャップを凹部に容易に保持させることができる。
【図面の簡単な説明】
【０００７】
【図１】本発明の実施形態に係るクローラトラクタの側面図である。
【図２】クローラトラクタの左側タンク配設部を示す斜視図である。
【図３】図１のＡ−Ａ断面図である。
【図４】キャップの斜視図である。
【図５】キャップの３面図であり、（ａ）はキャップの平面図、（ｂ）はキャップの正面図、（ｃ）はキャップの側面図である。
【図６】タンクカバーの斜視図である。
【図７】タンクカバーの３面図であり、（ａ）はタンクカバーの平面図、（ｂ）はタンクカバーの正面図、（ｃ）はタンクカバーの側面図である。
【図８】凹部の第１実施形態を示す斜視図である。
【図９】凹部の第２実施形態を示す斜視図である。
【図１０】凹部の第３実施形態を示す斜視図である。
【図１１】凹部の第３実施形態を示す要部断面図である。
【図１２】凹部の第４実施形態を示す斜視図である。
【発明を実施するための形態】
【０００８】
以下、本発明の実施の形態について、図面に基づいて説明する。図１において、１はクローラトラクタＴの走行機体であって、該走行機体１は、機体前部に設けられ、エンジン（図示せず）が搭載されるエンジン搭載部２と、機体中間部に設けられ、作業者が乗車する運転部３と、運転部３の後部左右両側に設けられ、燃料タンク（図示せず）、作動油タンク４、尿素水タンク５などのタンク類が配設される左右のタンク配設部６と、機体後部に設けられ、各種の作業機（図示せず）を連結可能な作業機連結部７と、機体下部に設けられるクローラ式の走行部８と、を備える。
【０００９】
図１〜図３に示すように、左側のタンク配設部６には、作動油タンク４及び尿素水タンク５が配設され、右側のタンク配設部（図示せず）には、燃料タンクが配設されている。左右のタンク配設部６は、少なくとも上方が樹脂製（例えば、ＦＲＰ製）のタンクカバー９によって覆われている。
【００１０】
尿素水タンク５は、エンジン搭載部２に配置される窒素酸化物浄化装置（図示せず）に尿素水を供給するために設けられており、パイプ１０を介して窒素酸化物浄化装置に接続されている。
【００１１】
尿素水タンク５は、尿素水を補給するための補給口５ａと、該補給口５ａを開閉可能に覆う着脱式のキャップ１１と、を備える。補給口５ａは、タンクカバー９に形成される開口部９ａを介して外部に露出される。本実施形態では、補給口５ａを外側方に傾けることにより、尿素水の補給を容易にしている。
【００１２】
図４及び図５に示すように、キャップ１１は、補給口５ａを覆蓋する有底円形状のキャップ本体１１ａと、キャップ１１の上面に突設され、キャップ１１を回し操作する際の指掛けとなる取っ手部１１ｂと、取っ手部１１ｂの上面中央部に突設されるワイヤ連結部１１ｃと、を備える。
【００１３】
キャップ本体１１ａの内周部には、補給口５ａの外周部と螺合するネジ溝（図示せず）が形成されており、キャップ１１の所定方向の回し操作に基づいて、キャップ１１が補給口５ａに取り付けられ、逆方向の回し操作に基づいて、キャップ１１が補給口５ａから取り外される。
【００１４】
図２に示すように、キャップ１１のワイヤ連結部１１ｃには、ワイヤ１２の一端が連結され、ワイヤ１２の他端は、タンクカバー９又は尿素水タンク５に連結されている。これにより、キャップ１１は、ワイヤ１２を介して走行機体１に繋がれ、取り外し時の紛失が防止される。
【００１５】
図３、図６及び図７に示すように、タンクカバー９は、開口部９ａの近傍に凹部９ｂを備える。凹部９ｂは、取り外し状態のキャップ１１を保持可能であり、凹部９ｂにキャップ１１を保持させれば、たとえワイヤ１２がなくても尿素水補給作業時におけるキャップ１１の紛失を防止できる。また、取り外し状態のキャップ１１をワイヤ１２を介してぶら下げた状態にすることが防止されるので、キャップ１１がタンクカバー９にぶつかってタンクカバー９に傷がつくことも回避できる。
【００１６】
つぎに、凹部９ｂの第１実施形態について、図８を参照して説明する。
【００１７】
図８に示すように、第１実施形態の凹部９ｂは、キャップ１１の取っ手部１１ｂを収納可能な形状を有する（凹部９ｂの一側面が取っ手部１１ｂの側面形状に沿う形状）。これにより、キャップ１１が上下反転状態で凹部９ｂに収納されることを促し、キャップ１１の下面側が凹部９ｂの内部に接触することを抑制できる。なお、第１実施形態の凹部９ｂは、上下非反転状態のキャップ１１も保持可能であるが、上下非反転状態のキャップ１１を安定に保持不能な形状としてもよい。具体的には、キャップ１１の上面に突設される取っ手部１１ｂ全体の嵌入を許容する一方、キャップ本体１１ａ全体の嵌入を規制し得る形状の凹部９ｂがタンクカバー９に形成されていてもよい。
【００１８】
このような凹部９ｂの形状によれば、作業者がキャップ１１を上下反転状態で凹部９ｂに置くように促すことができるので、たとえ凹部９ｂの内部が汚れていても、キャップ１１の下面、すなわち取り付け状態で尿素水タンク５の内部に対向する部分に汚れが付着することを防止できる。
【００１９】
また、凹部９ｂの内部には、キャップ１１のワイヤ連結部１１ｃ及びワイヤ１２が入り込む切欠き部９ｃが形成されている。切欠き部９ｃは、ワイヤ１２を入り込ませることで、曲折されたワイヤ１２の反発力を弱め、該反発力でキャップ１１が凹部９ｂから脱落することを防止できる。
【００２０】
叙述の如く構成された本実施形態によれば、タンクカバー９には、取り外し状態のキャップ１１を保持可能な凹部９ｂが設けられるので、尿素水補給作業時におけるキャップ１１の紛失や、キャップ１１に対する汚れに付着を防止できる。
【００２１】
また、凹部９ｂは、タンクカバー９における開口部９ａの周辺、すなわち尿素水タンク５の補給口５ａの近傍に設けられるので、取り外したキャップ１１を凹部９ｂに容易に保持させることができる。
【００２２】
また、凹部９ｂは、キャップ１１の上面側に突設される取っ手部１１ｂを収納可能な形状を有するので、作業者がキャップ１１を上下反転状態で凹部９ｂに置くように促すことができる。これにより、たとえ凹部９ｂの内部が汚れていても、キャップ１１の下面に対する汚れの付着を抑制でき、その結果、キャップ１１を介して尿素水タンク５内の尿素水が汚染されることを回避できる。
【００２３】
また、キャップ１１は、尿素水タンク５又はタンクカバー９にワイヤ１２を介して繋がれ、凹部９ｂの内部には、ワイヤ１２が入り込む切欠き部９ｃが形成されているので、ワイヤ１２の反発力でキャップ１１が凹部９ｂから脱落することを防止できる。
【００２４】
つぎに、凹部の他の実施形態について、図９〜図１２を参照して説明する。ただし、前記実施形態と共通の構成については、前記実施形態と同じ符号を用いることにより、前記実施形態の説明を援用する。
【００２５】
図９に示すように、第２実施形態の凹部９ｂは、第１実施形態と同様に、キャップ１１の取っ手部１１ｂを収納可能な形状を有するが、凹部９ｂの内部にワイヤ１２が入り込む切欠き部９ｃが形成されていない点が前記第１実施形態と相違している。
【００２６】
図１０及び図１１に示すように、第３実施形態の凹部９ｂは、上下反転状態、上下非反転状態のいずれにおいてもキャップ１１を保持する形状であり、特に、キャップ１１が上下反転状態で置かれることを促す効果がないことが前記実施形態と相違している。また、凹部９ｂに置かれたキャップ１１は、尿素水タンク５の補給口５ａにもたれ掛かるようにして凹部９ｂ内に保持される。
【００２７】
図１２に示すように、第４実施形態の凹部９ｂは、補給口５ａの外側下方に設けられており、キャップ１１に形成される係合部１１ｄ（例えば、ねじ部）との係合により、キャップ１１を保持可能な形状を有する点が前記実施形態と相違している。
【符号の説明】
【００２８】
１  走行機体
５  尿素水タンク
５ａ  補給口
９  タンクカバー
９ａ  開口部
９ｂ  凹部
９ｃ  切欠き部
１１  キャップ
１２  ワイヤ
Ｔ  クローラトラクタ
【図１】
2018103728.tif 000003
【図２】
2018103728.tif 000004
【図３】
2018103728.tif 000005
【図４】
2018103728.tif 000006
【図５】
2018103728.tif 000007
【図６】
2018103728.tif 000008
【図７】
2018103728.tif 000009
【図８】
2018103728.tif 000010
【図９】
2018103728.tif 000011
【図１０】
2018103728.tif 000012
【図１１】
2018103728.tif 000013
【図１２】
2018103728.tif 000014